(57)【要約】【課題】物品の生産や流通での情報を用いて判定結果を確認できるようにすること。【解決手段】物品が正規であるかの判定に用いられる、読取対象物の識別情報と、前記識別情報の読取による流通情報とを記憶する記憶手段と通信可能であって、携帯端末で読み取られた識別情報と、前記記憶手段に記憶された識別情報とに基づいて、前記物品が正規の物品であるかを判定し、判定結果と、記憶手段に記憶された流通情報とを携帯端末に表示させるよう制御する。 【選択図】図５
2020123108.tif 000002
【特許請求の範囲】
【請求項１】
物品が正規であるかの判定に用いられる、読取対象物の識別情報と、前記識別情報の読取により得られる流通情報とを記憶する記憶手段と通信可能な情報処理装置であって、
携帯端末で読み取られた識別情報と、前記記憶手段に記憶された識別情報とに基づいて、前記物品が正規の物品であるかを判定する判定手段と、
前記判定手段による判定結果と、前記記憶手段に記憶された流通情報とを前記携帯端末に表示させるよう制御する表示制御手段と
を備えることを特徴とする情報処理装置。
【請求項２】
前記記憶手段は、前記物品にかかる正規ルートを記憶し、
前記表示制御手段は、前記記憶手段に記憶された流通情報に基づいた流通ルートと、前記記憶手段に記憶された正規ルートとが異なる場合に、前記物品が前記正規ルートとは異なるルートで流通している旨を表示させるよう制御することを特徴とする請求項１に記載の情報処理装置。
【請求項３】
前記表示制御手段は、前記流通情報をマップ上に表示させるよう制御することを特徴とする請求項１または２に記載の情報処理装置。
【請求項４】
前記表示制御手段は、前記流通情報に過不足がある場合に、当該過不足がある旨を表示させるよう制御する請求項１乃至３のいずれか１項に記載の情報処理装置。
【請求項５】
前記読取対象物は、ＲＦＩＤ情報を読取可能な媒体、又は、二次元コード情報を読取可能な媒体であることを特徴とする請求項１乃至４のいずれか１項に記載の情報処理装置。
【請求項６】
物品が正規であるかの判定に用いられる、読取対象物の識別情報と、前記識別情報の読取により得られる流通情報とを記憶する記憶手段と通信可能な情報処理装置と、携帯端末と、を含む情報処理システムであって、
前記携帯端末は、
前記読取対象物の識別情報を読み取る読取手段
を備え、
前記情報処理装置は、
前記携帯端末の読取手段で読み取られた識別情報と、前記記憶手段に記憶された識別情報とに基づいて、前記物品が正規の物品であるかを判定する判定手段と、
前記判定手段による判定結果と、前記記憶手段に記憶された流通情報とを前記携帯端末に表示させるよう制御する表示制御手段と
を備えることを特徴とする情報処理システム。
【請求項７】
物品が正規であるかの判定に用いられる、読取対象物の識別情報と、前記識別情報の読取により得られる流通情報とを記憶する記憶手段と通信可能な情報処理装置と、携帯端末と、を含む情報処理システムの制御方法であって、
前記携帯端末は、
前記読取対象物の識別情報を読み取る読取ステップ
を備え、
前記情報処理装置は、
前記携帯端末の読取ステップで読み取られた識別情報と、前記記憶手段に記憶された識別情報とに基づいて、前記物品が正規の物品であるかを判定する判定ステップと、
前記判定ステップによる判定結果と、前記記憶手段に記憶された流通情報とを前記携帯端末に表示させるよう制御する表示制御ステップと
を含むことを特徴とする情報処理システムの制御方法。
【請求項８】
物品が正規であるかの判定に用いられる、読取対象物の識別情報と、前記識別情報の読取により得られる流通情報とを記憶する記憶手段と通信可能な情報処理装置の制御方法であって、
携帯端末で読み取られた識別情報と、前記記憶手段に記憶された識別情報とに基づいて、前記物品が正規の物品であるかを判定する判定ステップと、
前記判定ステップによる判定結果と、前記記憶手段に記憶された流通情報とを前記携帯端末に表示させるよう制御する表示制御ステップと
を含むことを特徴とする情報処理装置の制御方法。
【請求項９】
コンピュータを、請求項１乃至５のいずれか１項に記載の情報処理装置の各手段として機能させるためのプログラム。
【請求項１０】
あらかじめ生成された識別情報を記憶する記憶手段と、
識別情報と生産情報とを対応付けたデータを取得する取得手段と、
前記記憶手段で記憶されている識別情報に対応して、前記取得手段で取得した生産情報を登録する登録手段と、
携帯端末で入力された識別情報を受け付ける受付手段と、
前記受付手段で受け付けた識別情報が正規の識別情報であって、前記登録手段で、前記生産情報が登録されている場合には、正規の結果と生産情報とを送信し、前記生産情報が登録されていない場合には、警告表示情報を前記携帯端末に送信する送信手段と
を備えることを特徴とするサーバ。
【請求項１１】
あらかじめ生成された識別情報を記憶する記憶手段を備えるサーバの制御方法であって、
識別情報と生産情報とを対応付けたデータを取得する取得ステップと、
前記記憶手段で記憶されている識別情報に対応して、前記取得ステップで取得した生産情報を登録する登録ステップと、
携帯端末で入力された識別情報を受け付ける受付ステップと、
前記受付ステップで受け付けた識別情報が正規の識別情報であって、前記登録ステップで、前記生産情報が登録されている場合には、正規の結果と生産情報とを送信し、前記生産情報が登録されていない場合には、警告表示情報を前記携帯端末に送信する送信ステップと
を含むことを特徴とするサーバの制御方法。
【請求項１２】
あらかじめ生成された識別情報を記憶する記憶手段を備えるサーバを制御するプログラムであって、
前記サーバを、
識別情報と生産情報とを対応付けたデータを取得する取得手段と、
前記記憶手段で記憶されている識別情報に対応して、前記取得手段で取得した生産情報を登録する登録手段と、
携帯端末で入力された識別情報を受け付ける受付手段と、
前記受付手段で受け付けた識別情報が正規の識別情報であって、前記登録手段で、前記生産情報が登録されている場合には、正規の結果と生産情報とを送信し、前記生産情報が登録されていない場合には、警告表示情報を前記携帯端末に送信する送信手段
として機能させるためのプログラム。
【発明の詳細な説明】
【技術分野】
【０００１】
物品の正規品判定を行う情報処理装置、情報処理システムとその処理方法、及びプログラムに関する。
【背景技術】
【０００２】
近年、偽造された商品が市場に出回ることがあり、各メーカは偽造品が出回らないような対策を強化している。
【０００３】
一方購入者は、購入した商品が偽造品でないかを確認することを求めている。そのため、梱包材に印刷されたユニークな二次元コードを、出荷時から購入までの任意のタイミングで読み取り、真贋判定をするシステム、いわゆる正規品を判定するシステムが存在する（特許文献１）。
【先行技術文献】
【特許文献】
【０００４】
【特許文献１】特開２００８−２９３２８４号公報
【発明の概要】
【発明が解決しようとする課題】
【０００５】
しかしながら、購入した商品の識別番号が正規品の識別番号であっても、商品がいつどこで生産されて、どのような流通経路をたどって流通しているのかを、購入者は知ることができなかった。また、不正に流通している商品を把握することも困難であった。
【０００６】
そこで、本発明は、物品の生産や流通での情報を用いて判定結果を確認できるようにすることを目的とする。
【課題を解決するための手段】
【０００７】
本発明の目的を達成するために、物品が正規であるかの判定に用いられる、読取対象物の識別情報と、前記識別情報の読取により得られる流通情報とを記憶する記憶手段と通信可能な情報処理装置であって、携帯端末で読み取られた識別情報と、前記記憶手段に記憶された識別情報とに基づいて、前記物品が正規の物品であるかを判定する判定手段と、前記判定手段による判定結果と、前記記憶手段に記憶された流通情報とを前記携帯端末に表示させるよう制御する表示制御手段とを備えることを特徴とする。
【発明の効果】
【０００８】
本発明によれば、物品の生産や流通での情報を用いて判定結果を確認できるようにすることができる。
【図面の簡単な説明】
【０００９】
【図１】正規品判定を行う情報処理システムのシステム構成の一例を示す図である
【図２】携帯端末１００のハードウェア構成を示す図である。
【図３】クライアント端末１０１、管理サーバ２００のハードウェア構成を示す図である。
【図４】本実施形態での利用形態を示す模式図である。
【図５】情報処理システムの機能構成を示す機能ブロック図である。
【図６】システム管理者によって実施される設定処理のフローチャートである。
【図７】システム管理者によって実施されるＩＤアップロード処理のフローチャートである。
【図８】携帯端末１００、また、管理サーバ２００によって実行される生産登録処理のフローチャートである。
【図９】携帯端末１００、また、管理サーバ２００によって実行される経由地登録処理のフローチャートである。
【図１０】携帯端末１００、また、管理サーバ２００によって実行される、第１の実施形態における正規品判定処理のフローチャートである。
【図１１】携帯端末１００、また、管理サーバ２００によって実行される、第２の実施形態における正規品判定処理のフローチャートである。
【図１２】管理テーブルの構成を示す構成図である。
【図１３】設定テーブルの構成を示す構成図である。
【図１４】正規ルートテーブルの構成を示す構成図である。
【図１５】携帯端末１００に表示される画面表示例（１）である。
【図１６】携帯端末１００に表示される画面表示例（２）である。
【図１７】クライアント端末１０１に表示される画面表示例（３）である。
【発明を実施するための形態】
【００１０】
以下、図面を参照して、本発明の実施の形態の一例について説明する。
【００１１】
図１は、本発明の正規品判定を行う情報処理システムのシステム構成の一例を示す図である。本発明の情報処理システムは、携帯端末１００（生産登録）、携帯端末１００（経由地登録）、携帯端末１００（正規品判定）、クライアント端末１０１、管理サーバ２００が設置されている。それらの装置はネットワーク１０２（ＷＡＮ又はＬＡＮ）を介して相互にデータ通信可能に接続されている。なお、以下で携帯端末１００（生産登録）と携帯端末１００（経由地登録）と携帯端末（正規品判定）を区別する必要がない場合、携帯端末１００と記載して説明する。
【００１２】
携帯端末１００は、無線通信可能なアクセスポイント１０３と通信可能となっている。アクセスポイント１０３は、携帯電話回線の基地局であってもよい。
【００１３】
なお、図１のネットワーク上に接続される各種端末あるいはサーバの構成は一例であり、用途や目的に応じて様々な構成例があることは言うまでもない。
【００１４】
携帯端末１００は、例えば箱４００（例えば、図４）外に貼ってあるＲＦＩＤチップを含む開封シール４０１を携帯端末１００のＲＦＩＤアンテナ２７Ａ（例えば、図２）を介して読み取る端末である。
【００１５】
また、携帯端末１００は、二次元コードの開封シール４０２（例えば、図４）を携帯端末カメラで読み取る端末である。携帯端末１００は、これら読み取った情報を管理サーバ２００へ送信する。
【００１６】
箱とは、物品を覆う外装物であり、開封シール４０１と４０２は、外装物の外に貼り付けられている読取対象物の一例を示すものである。また、開封シール４０１を第１の読取対象物、開封シール４０２を第２の読取対象物と言い換えることが可能である。
【００１７】
管理サーバ２００は、携帯端末１００から情報を受信し、生産登録、経由地登録、正規品判定を行い、登録、判定に基づいて得られた情報を携帯端末１００へ送信するサーバである。なお、本実施形態での管理サーバ２００は、クライアント端末と同様の汎用のコンピュータであってもよい。管理サーバ２００は、各種データ（例えば、図１２〜図１４）を記憶している。各種データはデータベース上で管理されていてもよい。さらに、外部のサーバ上で管理している構成であってもよい。
【００１８】
なお、ＲＦＩＤテーブル１１１０を外部のサーバで記憶しておき、外部のサーバでＲＦＩＤ情報が正規な情報であるか否かを判定するようにしてもよい。
【００１９】
クライアント端末１０１は、管理者装置であり、管理サーバ２００と通信し、正規品判定に用いる設定情報などの入力を実行する端末である。
【００２０】
図２は、本発明の実施形態における携帯端末１００のハードウェア構成を示す図である。
【００２１】
携帯端末１００は、例えば携帯電話機やスマートフォン等の無線端末に相当し、無線部２１と、オーディオ入出力部２２と、カメラ２３と、表示部２４と、タッチパネル２５と、ＲＦＩＤチップ２６と、ＲＦＩＤ制御部２７と、記憶部２８と、プロセッサ２９と、ＧＰＳ制御部４０を有する。無線部２１は、無線アンテナ２１Ａと接続し、無線通信網との無線通信を司る通信インタフェースである。オーディオ入出力部２２は、スピーカ２２Ａ及びマイク２２Ｂと接続し、音声を入出力するインタフェースである。
【００２２】
アンテナ２１Ａとアクセスポイント１０３を介して、携帯端末１００と各装置が通信を行うものとする。
【００２３】
カメラ２３は、動画像や静止画像等の画像を撮像する機能を有するものであり、本実施形態の二次元コードを撮影する撮影部である。表示部２４は、各種情報を画面表示する出力インタフェースである。タッチパネル２５は、表示部２４の表示画面と連携してタッチ操作を検出する入力インタフェースである。ＲＦＩＤチップ２６は、例えば、電子マネー等を記録した記録媒体である。ＲＦＩＤ制御部２７は、ＲＦＩＤアンテナ２７Ａと接続し、開封シール４０１のＲＦＩＤチップ（アンテナ含む）からの搬送波に応じてＲＦＩＤチップのＩＤを取得するものである。
【００２４】
記憶部２８は、ＲＯＭ（Ｒｅａｄ  Ｏｎｌｙ  Ｍｅｍｏｒｙ）２８Ａと、ＲＡＭ（Ｒａｎｄｏｍ  Ａｃｃｅｓｓ  Ｍｅｍｏｒｙ）２８Ｂと、内部ストレージ２８Ｃを有する。ＲＯＭ２８Ａは、例えば、オペレーティングシステムや専用読取アプリケーション（ＲＦＩＤや二次元コード読取アプリケーション）等の各種プログラムを記憶するものである。また、ＲＯＭ２８Ａには、携帯端末１００の個体識別番号を記憶している。ＲＡＭ２８Ｂは、一時的に各種情報を記憶するものである。内部ストレージ２８Ｃはハードディスクなどの記憶部品であり、アプリケーションファイルや、文書や画像ファイルなどのデータを記憶するものである。なお、内部ストレージ２８Ｃは、ＳＤカードに置き換えてもよい。
【００２５】
プロセッサ２９は、携帯端末１００全体を制御するものであり、具体的には例えばＣＰＵを示すものである。プロセッサ２９は、ＲＯＭ２８Ａに記憶された表示制御プログラムを読み出し、読み出された表示制御プログラムに基づき各種プロセスを実現するものである。
【００２６】
プロセッサ２９は、二次元コード認識部３１、ＲＦIＤ情報取得部３２、結果取得部３３として機能するものである。二次元コード認識部３１は、カメラ２３のズーム機能やオートフォーカス機能を用いて、二次元コードを読み取り、画像認識する。そして、二次元コード認識部３１は、画像認識の結果により得られる二次元コード情報を取得する。この取得した二次元コード情報を管理サーバ２００へ送信する。
【００２７】
ＲＦIＤ情報取得部３２は、ＲＦＩＤ制御部２７を介して、開封シール４０１のＲＦＩＤチップから読み取られたＲＦＩＤ情報を取得する。この取得したＲＦＩＤ情報を管理サーバ２００へ送信する。
【００２８】
ＲＦＩＤ制御部２７は、ＲＦＩＤアンテナ２７Ａと接続し、ＲＦＩＤアンテナ２７Ａが読取検知用の搬送波を出力し、搬送波を用いて開封シール４０１のＲＦＩＤチップと通信してＲＦＩＤチップからＲＦＩＤ情報を読み取る。搬送波は、ＨＦ（Ｈｉｇｈ  Ｆｒｅｑｕｅｎｃｙ）の周波数帯を使用した読取検知用の信号である。ＲＦＩＤアンテナ２７Ａは、読取エリアから所定送信距離のＲＦＩＤ通信範囲で搬送波を送信する。更に、ＲＦＩＤ制御部２７は、搬送波を用いて、ＲＦＩＤ通信範囲の内、ＲＦＩＤ読取範囲内に存在する開封シール４０１内のＲＦＩＤチップと通信してＲＦＩＤチップから情報を読み取る。なお、ＲＦＩＤ読取範囲は、約２ｃｍ以内とする。
【００２９】
携帯端末１００は、管理サーバ２００から無線部２１を介して、ＲＦＩＤ情報に関する結果、二次元コード情報に関する結果を受信する。受信した結果を結果取得部３３で取得し、表示部２４に画面表示する。
【００３０】
ＧＰＳ制御部４０は、不図示のＧＰＳアンテナから得られる位置情報を取得する制御部である。
【００３１】
図３は、本発明の実施形態におけるクライアント端末１０１、管理サーバ２００のハードウェア構成を示す図である。なお、管理サーバ２００を情報処理装置として言い換えることが可能である。
【００３２】
ＣＰＵ３０１は、システムバス３０４に接続される各デバイスやコントローラを統括的に制御する。
【００３３】
また、ＲＯＭ３０２あるいは外部メモリ３１１（記憶部）には、ＣＰＵ３０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ３０３は、ＣＰＵ３０１の主メモリ、ワークエリア等として機能する。
【００３４】
ＣＰＵ３０１は、処理の実行に際して必要なプログラム等をＲＡＭ３０３にロードして、プログラムを実行することで各種動作を実現するものである。
【００３５】
また、入力コントローラ（入力制御部）３０５は、キーボード（ＫＢ）３０９や不図示のマウス等のポインティングデバイスからの入力を制御する。
【００３６】
ビデオコントローラ（ＶＣ）３０６は、ＣＲＴディスプレイ（ＣＲＴ）３１０等の表示器への表示を制御する。表示器はＣＲＴだけでなく、液晶ディスプレイでも構わない。これらは必要に応じて管理者が使用するものである。
【００３７】
メモリコントローラ（ＭＣ）３０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるカード型メモリ等の外部メモリ３１１へのアクセスを制御する。
【００３８】
通信Ｉ／Ｆコントローラ（通信Ｉ／Ｆ制御部）３０８は、ネットワークを介して、外部機器と接続・通信するものであり、ネットワークでの通信制御処理を実行する。例えば、ＴＣＰ／ＩＰを用いたインターネット通信等が可能である。
【００３９】
なお、ＣＰＵ３０１は、例えばＲＡＭ３０３内の表示情報用領域へアウトラインフォントの展開（ラスタライズ）処理を実行することにより、ＣＲＴ３１０上での表示を可能としている。また、ＣＰＵ３０１は、ＣＲＴ３１０上の不図示のマウスカーソル等でのユーザ指示を可能とする。
【００４０】
本実施形態の管理サーバ２００が後述する各種処理を実行するために用いられる各種プログラム等は外部メモリ３１１に記録されており、必要に応じてＲＡＭ３０３にロードされることによりＣＰＵ３０１によって実行されるものである。さらに、本発明に係わるプログラムが用いる定義ファイルや各種情報テーブルは外部メモリ３１１に格納されている。
【００４１】
図４は、本発明の実施形態における正規品判定の利用形態を示す模式図である。
【００４２】
まず、４１０の状態を説明する。４１０は、箱４００の未開封状態を示している。
【００４３】
箱４００は、商品（不図示）が入っている箱を示している。この箱４００を開封する箇所に、開封シール４０１又は開封シール４０２が貼ってある。この状態で、携帯端末１００がＲＦＩＤ（Ｒａｄｉｏ  Ｆｒｅｑｕｅｎｃｙ  ＩＤｅｎｔｉｆｉｃａｔｉｏｎ）チップを読み取る。または、携帯端末１００が二次元コードを読み取る。
【００４４】
なお、箱のふたを開けると、この開封シール４０１が破れて、ＲＦＩＤチップ（アンテナ含む）が破壊され、開封シール４０１のＲＦＩＤチップが読めない状態となる。すなわち、一旦開封し、開封シールが破壊されてしまうと、ＲＦＩＤによる正規判定はできないものとなる。二次元コードの開封シールも同様に破壊され、読み取りが困難な状態となる。
【００４５】
開封シールには、開封時に破壊されやすくするために、開封シールの外周に切り込みが複数入る構成が望ましいが、これに限ることはない。
【００４６】
開封シール４０１は、同じＲＦＩＤ情報を持つ開封シールに製造されていないため、開封後は同じＲＦＩＤ情報が読み取られることがない。しかし、悪意のある人が不正な開封シール（コピーした開封シール）を製造した場合には、市場に同じＲＦＩＤ情報を持つ開封シールが読み取られる場合がある。そこで、複数回読み取られたことと、読み取られた場所によって、正規品ではない可能性を判定し、ユーザに通知することが、正規品判定では特に有用である。
【００４７】
開封シール４０１の構造を４１１に示す。剥離材、粘着材、基材、アンテナ、チップ、粘着材、表層材により構成されている。この剥離材を剥がし、箱４００に貼り付けるようになっている。
【００４８】
チップとアンテナが接続されており、アンテナを介してチップ内の情報（ＲＦＩＤ情報）が読み取れる構造となっている。ＲＦＩＤ情報は、例えば、ＥＰＣ（Ｅｌｅｃｔｒｏｎｉｃ  Ｐｒｏｄｕｃｔ  Ｃｏｄｅ）体系の情報や、ｕｃｏｄｅ体系の情報である。剥離材をはがし、粘着材によって箱４００に貼り付けている。この開封シール４０１は、箱からはがそうとすると、開封シールに付されている切れ目から開封シール４０１が切れる構造になっているため、はがして再利用することが困難な構造となっている。
【００４９】
なお、チップは、ＰＵＦ（Ｐｈｙｓｉｃａｌ  Ｕｎｃｌｏｎａｂｌｅ  Ｆｕｎｃｔｉｏｎ）技術を用いたチップであってもよい。
【００５０】
４２０の状態を説明する。４２０は、箱の開封状態を示している。
【００５１】
箱４００のふたが開けられ、開封シール４０１又は４０２が破れている状態を示している。
【００５２】
本実施形態においては、箱４００を開封する箇所に、ＲＦＩＤ情報または二次元コードが含まれる開封シール４０１が貼られているが、箱４００を開封する箇所ではない他の箇所に貼られていても良いし、箱４００に二次元コードが印刷されている形態でも良い。
【００５３】
図５は、本発明の実施形態における情報処理システムの機能構成を示す機能ブロック図である。
【００５４】
なお、情報処理システムは、物品の正規の判定に用いられる読取対象物（例えば、４０１や４０２）の識別情報（例えば、ＲＦＩＤ情報や二次元コード情報）である正規と判定される識別情報（例えば、図１１における１１１０や１１２０）、及び前記読取対象物の読取履歴（例えば、図１１における１１３０）を記憶する記憶部と通信可能な情報処理装置（例えば、管理サーバ２００）と、携帯端末（例えば、携帯端末１００）と、を含む情報処理システムである。
【００５５】
管理サーバ２００としての情報処理装置は、識別情報受信部５０１、登録判定部５０２、読取結果情報送信部５０３、場所判定部５０４、端末判定部５０５、場所情報受信部５０６、登録部５０７を備えている。これらの機能部は、ＣＰＵ３０１により実行される。なお、これらの機能部はハードウェア（例えば、Ｓｉｎｇｌｅ  Ｃｈｉｐ  Ｍｉｃｙｏｃｏなど）により実現されることもできる。
【００５６】
携帯端末１００は、読取部５１０、識別情報送信部５１１、読取結果情報受信部５１２を備えている。これらの機能部は、プロセッサ２９により実行される。なお、これらの機能部はハードウェア（例えば、Ｓｉｎｇｌｅ  Ｃｈｉｐ  Ｍｉｃｙｏｃｏなど）により実現されることもできる。以下、各機能部について説明する。
【００５７】
読取部５１０は、物品の正規の判定に用いられる読取対象物を読み取る機能部である。
【００５８】
識別情報送信部５１１は、読取部５１０により読み取られた読取対象物の識別情報を管理サーバ２００に送信する機能部である。
【００５９】
読取結果情報受信部５１２は、識別情報送信部５１１により送信した識別情報に従って、物品にかかる読取結果情報を受信する機能部である。
【００６０】
識別情報受信部５０１は、携帯端末で読み取られた読取対象物の識別情報を受信する機能部である。
【００６１】
登録判定部５０２は、任意の識別情報について、生産情報、経由地情報、判定情報が既に登録済であるかを判定する機能部である。
【００６２】
読取結果情報送信部５０３は、登録判定部５０２で、物品にかかる読取結果情報を送信する機能部である。
【００６３】
場所判定部５０４は、読取履歴に基づいて、異なる場所で読取対象物が読み取られたか否かを判定する機能部である。
【００６４】
端末判定部５０５は、読取履歴に基づいて、識別情報受信部５０１により受信した識別情報が同じ携帯端末で読み取られたか否かを判定する機能部である。
【００６５】
場所情報受信部５０６は、読取結果情報に従って、携帯端末から物品にかかる場所の情報を受信する機能部である。
【００６６】
登録部５０７は、場所情報受信部５０６により受信した情報を登録する機能部である。
【００６７】
なお、図５では説明の便宜上（複雑さを避けるために）、全ての信号流れを示していない。
【００６８】
次に、図６〜図１０のフローチャートを用いて、本実施形態の詳細な説明を行う。
【００６９】
＜第１の実施形態＞
まず、図６のフローチャートを用いて説明を行う。図６に示す設定処理６００は、クライアント端末１０１と管理サーバ２００によって行われるシステム管理者によって実施される処理である。上述した設定回数などを管理者によって設定するフローチャートである。
【００７０】
ステップＳ６０１では、クライアント端末１０１のＣＰＵ３０１が、管理サーバ２００へアクセスする。そして、管理サーバ２００のＣＰＵ３０１が、ユーザ認証を実行し、ログイン処理を実行する。
【００７１】
ステップＳ６０２では、管理サーバ２００のＣＰＵ３０１が、ログイン処理の結果として、正規品判定条件設定画面をクライアント端末１０１に送信する。
【００７２】
ステップＳ６０３では、クライアント端末１０１のＣＰＵ３０１が、正規品判定条件設定画面を表示する（不図示）。
【００７３】
ステップＳ６０４では、クライアント端末１０１のＣＰＵ３０１が、ステップＳ６０３で表示された正規品判定条件設定画面で設定された設定情報を、管理サーバ２００へ送信する。
【００７４】
ステップＳ６０５では、管理サーバ２００のＣＰＵ３０１が、設定情報を受信する。
【００７５】
ステップＳ６０６では、管理サーバ２００のＣＰＵ３０１が、受信した設定情報を外部メモリ３１１に登録する。
【００７６】
具体的には、正規品判定条件設定画面で設定された設定情報は、図１３に示す設定テーブル１３００に記憶される。
【００７７】
ここで、図１３に示す設定テーブル１３００について説明する。
【００７８】
設定テーブル１３００は、企業名１３０１、条件１３０２、読取履歴表示１３０３、端末番号読取１３０４、及びメール通知１３０５で構成されている。
【００７９】
企業名１３０１は、ステップＳ６０１におけるログイン処理を行う企業名（ログインＩＤ）を示す項目である。
【００８０】
条件１３０２は、正規品、または、非正規品と判定するための条件を示す項目である。たとえば、携帯端末１００で読み取られた識別情報が、管理サーバで管理されている正規ＩＤである場合、正規品と判定する。管理されている正規ＩＤではない場合、すなわち、非正規ＩＤである場合、非正規品と判定する。
【００８１】
読取履歴表示１３０３は、図１２に示す管理テーブル１２００に記憶されているＩＤ１２０１に対応づいて記憶される読取履歴を表示させるか否かを設定する項目である。
【００８２】
ＯＮ／ＯＦＦを設定することができ、ＯＮと設定される場合は、携帯端末１００で読み取られた識別情報が過去にいつどこで読み取られたかを示す読取履歴を、携帯端末１００に表示させる。ＯＦＦと設定される場合は、読取履歴を携帯端末１００に表示させない。
【００８３】
端末番号読取１３０４は、図８〜図１１に示す処理において、携帯端末１００の端末番号を読み取るか否かを設定する項目である。
【００８４】
ＯＮ／ＯＦＦを設定することができ、ＯＮと設定される場合は、図８〜図１１に示す処理において、携帯端末１００の端末番号を読み取る。ＯＦＦと設定される場合は、図８〜図１１に示す処理において、携帯端末１００の端末番号を読み取らない。
【００８５】
なお、生産登録または経由地登録の場合は端末番号読取１３０４をＯＮとし、正規品判定の場合は端末番号読取１３０４をＯＦＦとするなど、端末番号を読み取るケースと読み取らないケースとを詳細に分けて設定しても良い。
【００８６】
メール通知１３０５は、正規品判定サーバ２００が、非正規の読取情報、非正規の可能性のある読取情報と判定した場合に、管理者へ通知するために設定する項目である。
【００８７】
ＯＮ／ＯＦＦを設定することができ、ＯＮと設定される場合は、通知先のメールアドレスを入力する。管理者の通知は、非正規の読取情報、非正規の可能性のある読取情報との判定時にリアルタイムで通知しても良いし、１日分まとめて通知するようにしても良い。
【００８８】
ここで、図１２に示す管理テーブル１２００について説明する。
【００８９】
管理テーブル１２００は、ＩＤ１２０１、生産登録場所１２０２、生産登録日１２０３、生産登録時端末番号１２０４、経由地Ａ登録場所１２０５、経由地Ａ登録日１２０６、経由地Ａ登録時端末番号１２０７、経由地Ｂ登録場所１２０８、経由地Ｂ登録日１２０９、経由地Ｂ登録時端末番号１２１０、判定場所１２１１、判定日時１２１２、判定時端末番号１２１３、及び判定回数１２１４で構成されている。
【００９０】
なお、生産登録場所１２０２〜判定回数１２１４は、読取履歴に相当する。
【００９１】
また、生産登録場所１２０２〜生産登録時端末番号１２０４は、生産情報に相当する。
【００９２】
また、経由地Ａ登録場所１２０５〜経由地Ｂ登録時端末番号１２１０は、経由地情報に相当する。
【００９３】
また、判定場所１２１１〜判定回数１２１４は、判定情報に相当する。
【００９４】
また、管理テーブル１２００に記憶されている情報は、流通情報に相当する。
【００９５】
ＩＤ１２０１は、図７に示すＩＤアップロード処理７００において、クライアント端末１０１から管理サーバ２００にアップロードされたＩＤを示す項目である。
【００９６】
ＩＤ１２０１が管理サーバ２００にアップロードされ、管理テーブル１２００に記憶された段階では、読取履歴（１２０２〜１２１４）にはデータは記憶されていない。
【００９７】
生産登録場所１２０２は、物品の生産登録をした場所を示す項目である。生産登録は、たとえば、物品を生産する工場などで行われる。
【００９８】
生産登録日１２０３は、生産登録を行った日付を示す項目である。
【００９９】
生産登録時端末番号１２０４、生産登録を行う際に用いた携帯端末１００を識別するための端末番号を示す項目である。
【０１００】
経由地Ａ登録場所１２０５、物品の１つ目の経由地登録を行った場所を示す項目である。
【０１０１】
経由地Ａ登録日１２０６、１つ目の経由地登録を行った日付を示す項目である。
【０１０２】
経由地Ａ登録時端末番号は、１つ目の経由地登録を行う際に用いた携帯端末１００を識別するための端末番号を示す項目である。
【０１０３】
経由地Ｂ登録場所１２０８、物品の２つ目の経由地登録を行った場所を示す項目である。
【０１０４】
経由地Ｂ登録日１２０９、２つ目の経由地登録を行った日付を示す項目である。
【０１０５】
経由地Ｂ登録時端末番号１２１０は、２つ目の経由地登録を行う際に用いた携帯端末１００を識別するための端末番号を示す項目である。
【０１０６】
判定場所１２１１は、正規品判定を行った場所を示す項目である。
【０１０７】
判定日時１２１２は、正規品判定を行った日時を示す項目である。
【０１０８】
判定時端末番号１２１３は、正規品判定を行う際に用いた携帯端末１００を識別するための端末番号を示す項目である。
【０１０９】
判定回数１２１４は、正規品判定を行った回数を示す項目である。すなわち、１つのＩＤ１２０１に含まれる判定情報の行数である。
【０１１０】
なお、本実施形態においては、経由地は２か所までを想定しているが、必要に応じて、３か所以上の経由地情報を記憶できるようにしても良い。
【０１１１】
また、生産情報、経由地情報、及び判定情報に含まれる情報は、管理テーブル１２００に含まれる項目に限らない。
【０１１２】
また、生産情報、経由地情報、及び判定情報においては、年月日だけではなく、時刻も表示させても良い。
【０１１３】
次に、図７のフローチャートを用いて説明を行う。図７に示すＩＤアップロード処理７００は、システム管理者が、クライアント端末１０１を用いて、ＩＤをアップロードする処理である。
【０１１４】
ステップＳ７０１では、クライアント端末１０１のＣＰＵ３０１が、ＩＤを管理テーブル１２００にアップロードするため、ログイン処理を実行する。
【０１１５】
ステップＳ７０２では、管理サーバ２００のＣＰＵ３０１が、図１７に示す画面表示例（３）１７００のＩＤアップロード指示画面１７２０を送信する。
【０１１６】
ここで、図１７に示す画面表示例（３）１７００について説明する。
【０１１７】
画面表示例（３）１７００は、ＩＤアップロード状況画面１７１０、Ｎｏ．１７１１、登録日時１７１２、実行結果１７１３、詳細ボタン１７１４、更新ボタン１７１５、ＩＤアップロード指示画面１７２０、ＩＤ１７２１、ファイル選択ボタン１７２２、削除ボタン１７２３、及び実行ボタン１７２４で構成されている。
【０１１８】
ＩＤアップロード状況画面１７１０は、ＩＤ１７２１のアップロード状況を示す画面である。
【０１１９】
Ｎｏ．１７１１は、登録日時１７１２ごとに付された番号を示す項目である。
【０１２０】
登録日時１７１２は、ＩＤアップロード指示画面１７２０においてＩＤ１７２１のアップロード指示を受け付けた日時を示す項目である。
【０１２１】
実行結果１７１３は、ＩＤ１７２１のアップロードの実行結果（状況）を示す項目である。
【０１２２】
例えば、アップロード実行中の場合は「実行中」、実行結果の確認エラーの場合は「チェックエラー」、アップロードがすべて正常に終わっている場合は「正常終了」、アップロードが失敗に終わっている件がある場合は「登録失敗」のように示される。
【０１２３】
詳細ボタン１７１４は、ＩＤのアップロード状況の詳細を表示させるためのボタンである。
【０１２４】
詳細ボタン１７１４の押下を受け付けることにより、ＩＤのアップロード状況の詳細を表示させる（不図示）。ユーザは、例えば、いずれのＩＤ１７２１のアップロードが失敗したのかなどを確認できる。
【０１２５】
更新ボタン１７１５は、ＩＤアップロード状況画面１７１０に表示されている内容を最新の内容に更新するためのボタンである。
【０１２６】
ＩＤアップロード指示画面１７２０は、ＩＤ１７２１をアップロードさせるよう指示するための画面である。
【０１２７】
ＩＤ１７２１は、アップロード可能なＩＤを示す項目である。
【０１２８】
ファイル選択ボタン１７２２は、ＩＤ１７２１の選択を受け付けるためのボタンである。
【０１２９】
たとえば、ファイル選択ボタン１７２２の押下を受け付けた後、任意のＩＤ１７２１の選択を受け付けることができる。
【０１３０】
削除ボタン１７２３は、選択状態にある任意のＩＤ１７２１を削除するためのボタンである。
【０１３１】
実行ボタン１７２４は、選択状態にある任意のＩＤ１７２１のアップロードを実行するためのボタンである。
【０１３２】
ステップＳ７０３では、クライアント端末１０１のＣＰＵ３０１が、図１７に示す画面表示例（３）１７００のＩＤアップロード指示画面１７２０を表示する。
【０１３３】
ステップＳ７０４では、クライアント端末１０１のＣＰＵ３０１が、選択状態にある任意のＩＤ１７２１のアップロードを実行する。
【０１３４】
ステップＳ７０５では、管理サーバ２００のＣＰＵ３０１が、クライアント端末１０１によりアップロードされたＩＤ１７２１を受信する。
【０１３５】
ステップＳ７０６では、管理サーバ２００のＣＰＵ３０１が、ステップＳ７０５で受信したＩＤ１７２１を、管理テーブル１２００のＩＤ１２０１に登録する。
【０１３６】
次に、図８のフローチャートを用いて説明を行う。図８に示す生産登録処理８００は、物品の生産情報を登録する処理である。
【０１３７】
ユーザは、携帯端末１００で生産登録者としてログインを行う。管理サーバ２００において行われた生産登録に伴い、携帯端末１００は生産情報を表示する。
【０１３８】
ステップＳ８０１では、携帯端末１００のプロセッサ２９が、ユーザの操作に応じて専用読取アプリケーションを起動する。専用読取アプリケーションが、図１５に示す画面表示例（１）１５００の１５１０を表示する。１５１０は、生産登録ボタン１５１１、経由地登録ボタン１５１２、及び正規品判定ボタン１５１３で構成されている。
【０１３９】
ステップＳ８０２では、携帯端末１００のプロセッサ２９が、生産登録ボタン１５１１の押下を受け付けることにより、ログインを実行する。
【０１４０】
ステップＳ８０３では、携帯端末１００のプロセッサ２９が、カメラ２３を起動し、カメラ２３で認識した開封シール４０２の二次元コードを読み取る。
【０１４１】
ステップＳ８０４では、携帯端末１００のプロセッサ２９が、二次元コード情報の識別情報（ＩＤ）を取得する。
【０１４２】
ステップＳ８０５では、携帯端末１００のプロセッサ２９が、生産情報を取得する。
【０１４３】
具体的には、ＧＰＳ制御部４０を介して取得した位置情報と、位置情報を取得した時刻と、位置情報を取得した携帯端末１００の端末番号（個体識別番号）とを取得する。
【０１４４】
位置情報とは、携帯端末の現在位置である経度緯度情報である。なお、ＧＰＳを用いず携帯端末１００が通信する基地局を基準に位置を特定した場合もあるため、位置情報は地域（所定のエリア）であってもよい。また、専用読取アプリケーションでは、位置情報の取得許可をＯＮとする設定がされているものとする。
【０１４５】
端末番号（個体識別番号）は、ＲＯＭ２８Ａから読み出し、取得する。なお、端末番号（個体識別番号）は専用読取アプリケーションがインストールされた際に取得しておき、専用読取アプリケーションが保持している端末番号（個体識別番号）を取得してもよい。
【０１４６】
ステップＳ８０６では、携帯端末１００のプロセッサ２９が、ステップＳ８０４で取得したＩＤと、ステップＳ８０５で取得した生産情報とを含む読取情報を、管理サーバ２００に送信する。
【０１４７】
ステップＳ８０７では、管理サーバ２００のＣＰＵ３０１が、ステップＳ８０６で送信された、ＩＤと生産情報とを含む読取情報を、携帯端末１００から受信する。
【０１４８】
例えば、ステップＳ８０７は、識別情報と生産情報とを対応づけたデータを取得する処理に相当するステップである。
【０１４９】
ステップＳ８０８では、管理サーバ２００のＣＰＵ３０１が、管理テーブル１２００と設定テーブル１３００とを取得する。
【０１５０】
ステップＳ８０９では、管理サーバ２００のＣＰＵ３０１が、ステップＳ８０７で受信したＩＤが、管理テーブル１２００に登録されているＩＤ１２０１かを判定する。
【０１５１】
登録されていると判定された場合はステップＳ８１０に進み、登録されていないと判定された場合にはステップＳ８１４に進む。
【０１５２】
ステップＳ８１０では、管理サーバ２００のＣＰＵ３０１が、ステップＳ８０７で受信したＩＤ１２０１について、生産情報が既に登録されているかを判定する。
【０１５３】
既に登録されていると判定された場合はステップＳ８１５に進み、まだ登録されていないと判定された場合はステップＳ８１１に進む。
【０１５４】
ステップＳ８１１では、管理サーバ２００のＣＰＵ３０１が、ステップＳ８０７で受信した生産情報を、管理テーブル１２００に登録する。
【０１５５】
例えば、ステップＳ８１１は、記憶手段で記憶されている識別情報に対応して、取得手段で取得した生産情報を登録する処理に相当するステップである。
【０１５６】
ステップＳ８１２では、管理サーバ２００のＣＰＵ３０１が、ステップＳ８０７で受信した生産情報を、管理テーブル１２００の生産情報として登録する旨を示す情報を生成する。
【０１５７】
ステップＳ８１３では、管理サーバ２００のＣＰＵ３０１が、ステップＳ８０７〜ステップＳ８１２、ステップＳ８１４、ステップＳ８１５で生成された情報を、携帯端末１００に送信する。
【０１５８】
ステップＳ８１４では、管理サーバ２００のＣＰＵ３０１が、ステップＳ８０７で取得したＩＤが、管理テーブル１２００のＩＤ１２０１にまだ登録されていない旨を示す情報を生成する。
【０１５９】
ステップＳ８１５では、管理サーバ２００のＣＰＵ３０１が、管理テーブル１２００に、ステップＳ８０７で取得したＩＤに対応する生産情報が既に登録されている旨を示す情報を生成する。
【０１６０】
ステップＳ８１６では、携帯端末１００のプロセッサ２９が、ステップＳ８１３で送信された情報を、管理サーバ２００から受信する。
【０１６１】
ステップＳ８１７では、携帯端末１００のプロセッサ２９が、ステップＳ８１６で受信した情報を表示させる。
【０１６２】
例えば、ステップＳ８１４でＩＤ未登録の情報を生成している場合は、１５２０のように、ステップＳ８０７で受信したＩＤが管理テーブル１２００に登録されていないＩＤである旨を示す画面を、携帯端末１００に表示させる。
【０１６３】
ここで、ＯＫボタン１５２１の押下を受け付けることにより、ＩＤを管理テーブル１２００に登録することができる。
【０１６４】
例えば、ＯＫボタン１５２１の押下を受け付けた後、ステップＳ７０３で表示されるＩＤアップロード指示画面１７２０を携帯端末１００に表示させても良い。ＩＤアップロード指示画面１７２０を表示させることなく、管理テーブル１２００に追加されても良い。
【０１６５】
キャンセルボタン１５２２の押下を受け付けると、ＩＤは管理テーブル１２００に登録されない。
【０１６６】
したがって、ユーザは、ステップＳ８０４で取得したＩＤが管理テーブル１２００に未登録であることを認識することができ、また、容易にＩＤを管理テーブル１２００に登録することができる。
【０１６７】
ステップＳ８１５で、生産情報が既に登録されている旨を示す情報を生成している場合は、１５３０のように、登録済の生産情報と、ステップＳ８０７で受信した生産情報とを示す画面を、携帯端末１００に表示させる。
【０１６８】
ここで、ＯＫボタン１５３１の押下を受け付けることにより、生産情報を更新することができる。キャンセルボタン１５３２の押下を受け付けると、生産情報は更新されず、登録済の生産情報のままとなる。
【０１６９】
したがって、ユーザは、登録済の生産情報の認識や、生産情報の更新を容易に行うことができる。
【０１７０】
ステップＳ８１２で生産情報登録の旨を示す情報を生成している場合は、１５４０のように、登録した生産情報を示す画面を、携帯端末１００に表示させる。
【０１７１】
したがって、ユーザは、生産情報が登録されたことを認識することができる。
【０１７２】
なお、携帯端末１００ではなくクライアント端末１０１を用いて、生産システムから出力された生産情報を含むＣＳＶ形式のファイルを、管理サーバ２００にアップロードし、管理テーブル１２００に生産情報を登録することがある。このような場合、生産登録時端末番号はＮＵＬＬであっても、クライアント端末のＩＰアドレスやＭＡＣアドレスを生産情報として登録させても良い。
【０１７３】
また、ＣＳＶ形式のファイルをアップロードして生産情報を登録する場合、あらかじめ管理テーブル１２００にはＩＤ１２０１が格納されている。当該ファイルには、当該ＩＤと生産情報が対応づいて保存されていて、ファイルに保存されているＩＤと、管理テーブル１２００に登録されているＩＤ１２０１が一致した場合に、当該ＩＤ１２０１に対応するカラムに、生産情報を登録する。
【０１７４】
次に、図９のフローチャートを用いて説明を行う。図９に示す経由地登録処理９００は、物品の経由地情報を登録する処理である。
【０１７５】
ユーザは、携帯端末１００で経由地登録者としてログインを行う。管理サーバ２００において行われた経由地登録に伴い、携帯端末１００は経由地情報を表示する。
【０１７６】
ステップＳ８０１は、図８に示す処理と同様であるため、説明を省略する。
【０１７７】
ステップＳ９０１では、携帯端末１００のプロセッサ２９が、経由地登録ボタン１５１２の押下を受け付けることにより、ログインを実行する。
【０１７８】
ステップＳ８０３及びステップＳ８０４は、図８に示す処理と同様であるため、説明を省略する。
【０１７９】
ステップＳ９０２では、携帯端末１００のプロセッサ２９が、ステップＳ８０５と同様にして、経由地情報を取得する。
【０１８０】
ステップＳ９０３では、携帯端末１００のプロセッサ２９が、ステップＳ８０４で取得したＩＤと、ステップＳ９０２で取得した経由地情報とを含む読取情報を、管理サーバ２００に送信する。
【０１８１】
ステップＳ９０４では、管理サーバ２００のＣＰＵ３０１が、ステップＳ９０３で送信された、ＩＤと経由地情報とを含む読取情報を、携帯端末１００から受信する。
【０１８２】
ステップＳ９０５では、管理サーバ２００のＣＰＵ３０１が、管理テーブル１２００と設定テーブル１３００とを取得する。
【０１８３】
ステップＳ９０６では、管理サーバ２００のＣＰＵ３０１が、ステップＳ９０４で受信したＩＤが、管理テーブル１２００のＩＤ１２０１に登録されているＩＤかを判定する。
【０１８４】
登録されていると判定された場合はステップＳ９０７に進み、登録されていないと判定された場合にはステップＳ９１１に進む。
【０１８５】
ステップＳ９０７では、管理サーバ２００のＣＰＵ３０１が、ステップＳ９０４で受信したＩＤ１２０１について、生産情報が既に登録されているかを判定する。
【０１８６】
既に登録されていると判定された場合はステップＳ９０８に進み、まだ登録されていないと判定された場合はステップＳ９１１に進む。
【０１８７】
ステップＳ９０８では、管理サーバ２００のＣＰＵ３０１が、ステップＳ９０４で受信した生産情報を、管理テーブル１２００に登録する。
【０１８８】
ステップＳ９０９では、管理サーバ２００のＣＰＵ３０１が、ステップＳ９０４で受信した経由地情報を、管理テーブル１２００の経由地情報として登録する旨を示す情報を生成する。
【０１８９】
ステップＳ９１０では、管理サーバ２００のＣＰＵ３０１が、ステップＳ９０４〜ステップＳ９０９、ステップＳ９１１、ステップＳ９１２で生成された情報を、携帯端末１００に送信する。
【０１９０】
ステップＳ９１１では、管理サーバ２００のＣＰＵ３０１が、ステップＳ９０４で取得したＩＤが、管理テーブル１２００のＩＤ１２０１にまだ登録されていない旨を示す情報を生成する。
【０１９１】
ステップＳ９１２では、管理サーバ２００のＣＰＵ３０１が、管理テーブル１２００に、ステップＳ８０７で取得したＩＤに対応する生産情報がまだ登録されていない旨を示す情報を生成する。
【０１９２】
ステップＳ９１３では、携帯端末１００のプロセッサ２９が、ステップＳ９１０で送信された情報を、管理サーバ２００から受信する。
【０１９３】
ステップＳ９１４では、携帯端末１００のプロセッサ２９が、ステップＳ９１３で受信した情報を表示させる。
【０１９４】
例えば、ステップＳ９１１でＩＤ未登録の情報を生成している場合は、１５５０のように、ステップＳ９０４で受信したＩＤが管理テーブル１２００に登録されていない旨を示す画面を、携帯端末１００に表示させる。
【０１９５】
なお、生産登録ボタン１５１１と経由地登録ボタン１５１２とを押し間違える可能性もある。１５２０のようにＩＤの登録を促すメッセージやＯＫボタン１５２１やキャンセルボタン１５２２を表示させて、ステップＳ９０４で受信したＩＤを管理テーブル１２００に登録させても良い。
【０１９６】
したがって、ユーザは、ステップＳ８０４で読み取った取得したＩＤが管理テーブル１２００に未登録であることを認識することができる。
【０１９７】
ステップＳ９１２で生産情報未登録の旨を示す情報を生成している場合は、１５６０のような画面を携帯端末１００に表示させる。
【０１９８】
ステップＳ９０９で経由地情報登録の旨を示す情報を生成している場合は、１５７０のように、登録した経由地情報を表示させた画面を、携帯端末１００に表示させる。
【０１９９】
なお、過去の経由地情報とともに、最新の経由地情報を表示させても良い。
【０２００】
また、経由地登録に用いる端末は、携帯端末１００に限らず、倉庫などで用いられるハンディターミナルであっても良い。
【０２０１】
次に、図１０のフローチャートを用いて説明を行う。図１０に示す正規品判定処理Ａ１０００は、物品の判定情報を登録し、正規品判定を行う処理である。
【０２０２】
ユーザは、携帯端末１００で正規品判定者としてログインを行う。管理サーバ２００において行われた正規品判定に伴い、携帯端末１００は判定情報や正規品判定結果などを表示する。
【０２０３】
ステップＳ８０１は、図８に示す処理と同様であるため、説明を省略する。
【０２０４】
ステップＳ１００１では、携帯端末１００のプロセッサ２９が、正規品判定ボタン１５１３の押下を受け付けることにより、ログインを実行する。
【０２０５】
ステップＳ８０３及びＳ８０４は、図８に示す処理と同様であるため、説明を省略する。
【０２０６】
ステップＳ１００２では、携帯端末１００のプロセッサ２９が、ステップＳ８０５と同様にして、判定情報を取得する。
【０２０７】
ステップＳ１００３では、携帯端末１００のプロセッサ２９が、ステップＳ８０４で取得したＩＤと、ステップＳ１００２で取得した判定情報とを含む読取情報を、管理サーバ２００に送信する。
【０２０８】
ステップＳ１００４では、管理サーバ２００のＣＰＵ３０１が、ステップＳ１００３で送信された、ＩＤと判定情報とを含む読取情報を、携帯端末１００から受信する。
【０２０９】
例えば、ステップＳ１００４は、携帯端末で入力された識別情報を受け付ける処理に相当するステップである。
【０２１０】
ステップＳ１００５では、管理サーバ２００のＣＰＵ３０１が、管理テーブル１２００と設定テーブル１３００とを取得する。
【０２１１】
ステップＳ１００６では、管理サーバ２００のＣＰＵ３０１が、ステップＳ１００４で受信したＩＤが、管理テーブル１２００のＩＤ１２０１に記憶されているＩＤかを判定する。
【０２１２】
例えば、ステップＳ１００６は、携帯端末で読み取られた識別情報と、記憶手段に記憶された識別情報とに基づいて、物品が正規の物品であるかを判定する処理に相当するステップである。
【０２１３】
ステップＳ１００７では、管理サーバ２００のＣＰＵ３０１が、ステップＳ１００４で受信した生産情報を、管理テーブル１２００に登録する。
【０２１４】
ステップＳ１００８では、管理サーバ２００のＣＰＵ３０１が、ステップＳ１００７で判定情報を登録したＩＤ１２０１について、判定回数１２１４が２以上であるかを判定する。
【０２１５】
２以上であると判定された場合はステップＳ１０１６に進み、１以下であると判定された場合はステップＳ１００９に進む。
【０２１６】
ステップＳ１００９では、管理サーバ２００のＣＰＵ３０１が、ステップＳ１００４で受信したＩＤ１２０１について、経由地情報が既に登録されているかを判定する。
【０２１７】
例えば、経由地Ａ登録場所１２０５〜経由地Ａ登録時端末番号１２０７、または、経由地Ｂ登録場所１２０８〜経由地Ｂ登録時端末番号１２１０の、少なくとも一方に情報が登録されているかを判定する。
【０２１８】
既に登録されていると判定された場合はステップＳ１０１０に進み、まだ登録されていないと判定された場合はステップＳ１０１９に進む。
【０２１９】
ステップＳ１０１０では、管理サーバ２００のＣＰＵ３０１が、管理テーブル１２００に、ステップＳ１００４で受信したＩＤに対応する経由地情報が既に登録済である旨を示す情報を生成する。
【０２２０】
ステップＳ１０１１では、管理サーバ２００のＣＰＵ３０１が、ステップＳ１００４で受信したＩＤについて、生産情報が既に登録されているかを判定する。
【０２２１】
例えば、生産登録場所１２０２〜生産登録時端末番号１２０４に情報が登録されているかを判定する。
【０２２２】
既に登録されていると判定された場合はステップＳ１０１２に進み、まだ登録されていないと判定された場合はステップＳ１０２０に進む。
【０２２３】
ステップＳ１０１２では、管理サーバ２００のＣＰＵ３０１が、管理テーブル１２００に、ステップＳ１００４で受信したＩＤに対応する生産情報が既に登録されている旨を示す情報を生成する。
【０２２４】
ステップＳ１０１３では、管理サーバ２００のＣＰＵ３０１が、ステップＳ１００４で受信したＩＤが正規ＩＤである旨を示す情報を生成する。
【０２２５】
ステップＳ１０１４では、管理サーバ２００のＣＰＵ３０１が、ステップＳ１００４〜ステップＳ１０１３、ステップＳ１０１５〜ステップＳ１０２０で生成された情報を、携帯端末１００に送信する。
【０２２６】
ステップＳ１０１５では、管理サーバ２００のＣＰＵ３０１が、ステップＳ１００４で受信したＩＤが非正規ＩＤである旨を示す情報を生成する。
【０２２７】
ステップＳ１０１６では、管理サーバ２００のＣＰＵ３０１が、ステップＳ１００４で受信したＩＤについて、ステップＳ１００４で受信した判定情報に含まれる端末番号が、他の判定情報に含まれる端末番号と異なるかを判定する。
【０２２８】
異なると判定された場合はステップＳ１０１７に進み、同一と判定された場合はステップＳ１０１８に進む。
【０２２９】
ステップＳ１０１７では、管理サーバ２００のＣＰＵ３０１が、ステップＳ１００４で受信したＩＤについて、他の判定情報に含まれる端末番号と異なる旨を示す情報を生成する。
【０２３０】
すなわち、異なる端末で既に正規品判定が行われたことを示す情報を生成する。
【０２３１】
ステップＳ１０１８では、管理サーバ２００のＣＰＵ３０１が、ステップＳ１００４で受信したＩＤについて、他の判定情報に含まれる端末番号と同一である旨を示す情報を生成する。
【０２３２】
すなわち、同一端末で既に正規品判定が行われたことを示す情報を生成する。
【０２３３】
ステップＳ１０１９では、管理サーバ２００のＣＰＵ３０１が、管理テーブル１２００に、ステップＳ１００４で取得したＩＤに対応する経由地情報がまだ登録されていない旨を示す情報を生成する。
【０２３４】
ステップＳ１０２０では、管理サーバ２００のＣＰＵ３０１が、管理テーブル１２００に、ステップＳ１００４で取得したＩＤに対応する生産情報がまだ登録されていない旨を示す情報を生成する。
【０２３５】
ステップＳ１０２１では、携帯端末１００のプロセッサ２９が、ステップＳ１０１４で送信された情報を、管理サーバ２００から受信する。
【０２３６】
ステップＳ１０２２では、携帯端末１００のプロセッサ２９が、ステップＳ１０２１で受信した情報を表示させる。
【０２３７】
例えば、ステップＳ１０２２は、判定手段による判定結果と、記憶手段に記憶された流通情報とを携帯端末に表示させるよう制御する処理に相当するステップである。
【０２３８】
具体的には、例えば、ステップＳ１０１５で、非正規ＩＤである旨を示す情報を生成している場合は、１５８０のように、ステップＳ１００４で受信したＩＤが管理テーブル１２００に登録されていない旨を示す画面を、携帯端末１００に表示させる。
【０２３９】
また、例えば、ステップＳ１０１９で経由地情報が未登録である旨を示す情報を生成し、かつ、ステップＳ１０２０で生産情報が未登録である旨を示す情報を生成している場合は、１５９０のように、ステップＳ１００４で受信したＩＤに対応づいた生産情報と経由地情報とがないことを示す画面を、携帯端末１００に表示させる。
【０２４０】
ステップＳ１０１７で、ステップＳ１００４で受信したＩＤが他の判定情報に含まれる端末番号と異なる旨を示す情報を生成している場合は、図１６に示す画面表示例（２）１６００の１６１０のように、以前にも他の端末で正規品判定が行われた旨を示す画面を、携帯端末１００に表示させる。
【０２４１】
なお、本実施形態においては、今回取得した生産情報や経由地情報を表示させているが、以前正規品判定が行われた端末の端末番号や判定情報を表示させても良い。
【０２４２】
ステップＳ１０１８で、ステップＳ１００４で受信したＩＤが他の判定情報に含まれる端末番号と同一である旨を示す情報を生成している場合は、１６２０のように、以前にも同一端末で正規品判定が行われた旨を示す画面を、携帯端末１００に表示させる。
【０２４３】
なお、本実施形態においては、今回取得した生産情報や経由地情報を表示させているが、以前正規品判定が行われた端末の判定情報を表示させても良い。
【０２４４】
ステップＳ１０１９で、経由地情報が未登録である旨を示す情報を生成している場合は、１６３０のように、ステップＳ１００４で受信したＩＤに対応づいた経由地情報がないことを示す画面を、携帯端末１００に表示させる。
【０２４５】
ステップＳ１０２０で、生産情報が未登録である旨を示す情報を生成している場合は、１６４０のように、ステップＳ１００４で受信したＩＤに対応づいた生産情報がないことを示す画面を、携帯端末１００に表示させる。
【０２４６】
また、ステップＳ１００４で取得したＩＤが正規ＩＤであるにも関わらず生産情報がない場合、ステップＳ１００４で取得したＩＤが不正に流通したＩＤの可能性がある。１６４０のような画面ではなく、警告表示として、不正流通されたＩＤの可能性があることを示す画面を、携帯端末１００に表示させても良い（不図示）。
【０２４７】
すなわち、例えば、ステップＳ１０２２は、受付手段で受け付けた識別情報が正規の識別情報であって、登録手段で、生産情報が登録されている場合には、正規の結果と生産情報を送信し、生産情報が登録されていない場合には、警告表示情報を携帯端末に送信する処理に相当するステップである。
【０２４８】
ステップＳ１０１３で、正規ＩＤである旨を示す情報を生成している場合は、１６５０のように、ステップＳ１００４で受信したＩＤが管理テーブル１２００に登録されている旨を示す画面を、携帯端末１００に表示させる。携帯端末１００に表示できる生産情報や経由地情報がある場合は、１６５０のように表示される。購入者は、購入した物品がどのような経路で当該購入者の手元に届いているのかを、容易に把握することができる。
【０２４９】
次に、図１１のフローチャートを用いて、第２の実施形態の詳細な説明を行う。
【０２５０】
＜第２の実施形態＞
図１１に示す正規品判定処理Ｂ１１００は、物品の判定情報を登録し、正規品判定を行う処理である。
【０２５１】
第２の実施形態においては、設定テーブル１３００の読取履歴表示１３０３のＯＮ／ＯＦＦに基づいて、過去に読み取られた履歴を表示させるかを決定している。
【０２５２】
ステップＳ８０１、Ｓ８０３及びＳ８０４は、図８に示す処理と同様であるため、説明を省略する。
【０２５３】
ステップＳ１００１〜Ｓ１０２１は、図１０に示す処理と同様であるため、説明を省略する。
【０２５４】
ステップＳ１１０１では、管理サーバ２００のＣＰＵ３０１が、設定テーブル１３００の読取履歴表示１３０３がＯＮであるかを判定する。
【０２５５】
ＯＮであると判定された場合はステップＳ１００８に進み、ＯＮではないと判定された場合はステップＳ１０１３に進む。
【０２５６】
ステップＳ１１０２では、管理サーバ２００のＣＰＵ３０１が、管理テーブル１２００の生産登録場所１２０２、経由地Ａ登録場所１２０５、経由地Ｂ登録場所１２０８、図１４に示す正規ルートテーブル１４００の生産登録場所１４０２、経由地Ａ登録場所１４０３、経由地Ｂ登録場所１４０４に基づいて、ステップＳ１００４で受信したＩＤに対応する物品の流通ルートが、正規ルートであるかを判定する。
【０２５７】
具体的には、「生産登録場所１２０２＝生産登録場所１４０２」かつ「経由地Ａ登録場所１２０５＝経由地Ａ登録場所１４０３」かつ「経由地Ｂ登録場所１２０８＝経由地Ｂ登録場所１４０４」である場合に、流通ルートが正規ルートであると判定する。
【０２５８】
ここで、図１４に示す正規ルートテーブル１４００について説明する。
【０２５９】
正規ルートテーブル１４００は、ＩＤ１４０１、生産登録場所１４０２、経由地Ａ登録場所１４０３、及び経由地Ｂ登録場所で構成されている。
【０２６０】
ＩＤ１４０１は、正規ルートにかかるＩＤを示す項目である。
【０２６１】
本実施形態においては、ＩＤ１４０１の先頭２文字の配列に基づいて正規ルートが定められるものとするが、ＩＤ１４０１ごとに正規ルートが定めるなど、正規ルートの定め方は限らない。
【０２６２】
生産登録場所１４０２は、ＩＤ１４０１について、生産登録された場所を示す項目である。
【０２６３】
経由地Ａ登録場所１４０３は、ＩＤ１４０１について、経由地が登録された場所を示す項目である。
【０２６４】
経由地Ｂ登録場所１４０４は、ＩＤ１４０１について、経由地が登録された場所を示す項目である。
【０２６５】
なお、ステップＳ１００４で受信したＩＤに対応する物品の流通ルートが正規ルートであるかを判定する際に、正規ルートの教師データを登録させることによって、ＡＩが、流通ルートが正規ルートであるかを判定しても良い。
【０２６６】
流通ルートが正規ルートであると判定された場合はステップＳ１０１４に進み、流通ルートが正規ルートではないと判定された場合はステップＳ１１０３に進む。
【０２６７】
ステップＳ１１０３では、管理サーバ２００のＣＰＵ３０１が、流通ルートが正規ルートではない旨を示す、警告情報を生成する。
【０２６８】
ステップＳ１０２２では、携帯端末１００のプロセッサ２９が、ステップＳ１０２１で受信した情報を表示させる。
【０２６９】
例えば、ステップＳ１１０３で警告情報を生成している場合は、１６６０のように、流通ルートが正規ルートではない旨を示す画面を、携帯端末１００に表示させる。
【０２７０】
また、１６７０のように、オフィシャル通販サイトなどのＵＲＬを表示させて、ユーザが正規ルートで購入できるよう促しても良い。正規ルートでの購入を促すことによって、購入者は正しいルートで流通された商品を購入できるようになる。
【０２７１】
ステップＳ１１０１で、読取履歴表示がＯＦＦであると判定された場合は、１６８０のように、生産情報や経由地情報など、読取履歴を表示させない。
【０２７２】
なお、画面表示例（１）１５００及び画面表示例（２）１６００においては、正規品判定結果として、「正規品」または「非正規品」として表示しているが、「正規品ではない可能性がある」と表示させても良い。正規品ではない可能性があることを表示させることにより、より具体的な判定結果を購入者に伝えることができる。
【０２７３】
また、正規品である場合は「○」、正規品ではない可能性がある場合は「△」、非正規品である場合は「×」というように表示させても良い。○など記号を用いることによって、購入者の視認性を高めることができる。
【０２７４】
＜その他の実施形態＞
画面表示例（１）１５００及び画面表示例（２）１６００に示す画面においては、判定情報の表示はしていないが、判定情報を表示させても良い。
【０２７５】
いずれの項目（生産情報、経由地情報、判定情報など）を携帯端末１００に表示させるかの設定が、ユーザにより柔軟に変更できるものとする。
【０２７６】
例えば、設定テーブル１３００で、生産情報表示は「ＯＮ」、経由地情報表示は「ＯＦＦ」などのように設定ができる。生産登録場所表示は「ＯＮ」であるが、生産登録日表示は「ＯＦＦ」のような設定でも良い。
【０２７７】
生産情報、経由地情報、及び判定情報の表示について、１６９０のように、マップを用いて、マップ上に表示させても良い。マップ上に情報を表示させることによって、ユーザの視認性を高めることができる。
【０２７８】
ステップＳ８１７、ステップＳ９１４、及びステップＳ１０２２においては、ＩＤを不正利用・作成されないようＩＤを表示させていないが、表示させるようにしても良い。
【０２７９】
設定テーブル１３００で、生産情報、経由地情報、及び判定情報について、それぞれあらかじめ登録できる数を定めておいても良い。あらかじめ定められた数と比べて過不足がある場合に、生産情報、経由地情報、及び判定情報について、過不足がある旨を、携帯端末１００に表示させるなどして通知しても良い。
【０２８０】
ＩＤを読み取るタイミングは、生産登録時や経由地登録時などに限らず、出荷時、入荷時、販売時など、様々なタイミングでＩＤを読み取るようにしても良い。
【０２８１】
ステップＳ８０４で読み取られたＩＤが管理テーブル１２００に登録されていない場合、非正規ＩＤとして、非正規テーブル（不図示）に登録させておいても良い。
【０２８２】
本実施形態においては、ステップＳ８０４で読み取られたＩＤが管理テーブル１２００に登録されている場合、正規品と判定し、管理テーブル１２００に登録されていない場合、非正規品と判定する。流通ルートが正規ルートではない場合や、生産情報がない場合などにおいても、非正規品と判定しても良い。すなわち、正規品／非正規品を判定する条件は、ユーザにより柔軟に変更できるものとする。
【０２８３】
本実施形態では、好適な例として、箱外の開封位置に貼り付けられている開封シールを読み取る構成としたが、これに限定されることはない。具体的には、保証書にＲＦＩＤタイプのシール又は二次元コードタイプのシールが貼り付けてあり、この保証書を携帯端末１００で読み取る実施形態であってもよい。そのほか、ＲＦＩＤチップが埋め込まれているギャランティカードや二次元コードがプリントされているギャランティカードなどを読み取る構成であってもよい。すなわち、ＲＦＩＤ情報や二次元コードを有する媒体を読取対象物と言い換えることが可能である。
【０２８４】
以上説明したように、本実施形態によれば、商品の購入者に流通経路を容易に通知する仕組みを提供することができる。
【０２８５】
また、不正なシールが出回った場合や、中古品を新品として箱に入れ販売した場合など、正規の物品か否かの判断が難しい状況であっても、購入者が正規品か否かの判断を行いやすくなり、非正規品や不正品の購入を防止することができる。
【０２８６】
特に、同じ開封シールが繰り返し読み取りされている場合に、非正規の可能性があることを通知できるため、非正規品や不正品の購入を抑止することができる。また、繰り返し読み取りされている場合には、過去の読み取りの位置と今回の読み取りの位置に従って、非正規の可能性がある商品か否かを判定するため、より詳細な判定結果を得ることができる。よって、従来技術で解決できない状況であっても、非正規品や不正品の購入を抑止することが可能となる。
【０２８７】
更に、専用アプリケーションをダウンロードさせることで、購入者に正規品の物品か否かの詳細を通知することが可能となり、ユーザにとって利便性があがる。
【０２８８】
本発明は、例えば、システム、装置、方法、プログラム若しくは記憶媒体等としての実施形態も可能であり、具体的には、複数の機器から構成されるシステムに適用してもよいし、また、１つの機器からなる装置に適用してもよい。
【０２８９】
なお、本発明は、前述した実施形態の機能を実現するソフトウェアのプログラムを、システム或いは装置に直接、或いは遠隔から供給するものを含む。そして、そのシステム或いは装置のコンピュータが前記供給されたプログラムコードを読み出して実行することによっても達成される場合も本発明に含まれる。
【０２９０】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【０２９１】
その場合、プログラムの機能を有していれば、オブジェクトコード、インタプリタにより実行されるプログラム、ＯＳに供給するスクリプトデータ等の形態であってもよい。
【０２９２】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０２９３】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０２９４】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【０２９５】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行してコンピュータにインストールさせて実現することも可能である。
【０２９６】
また、コンピュータが、読み出したプログラムを実行することによって、前述した実施形態の機能が実現される。その他、そのプログラムの指示に基づき、コンピュータ上で稼動しているＯＳなどが、実際の処理の一部又は全部を行い、その処理によっても前述した実施形態の機能が実現され得る。
【０２９７】
さらに、記録媒体から読み出されたプログラムが、コンピュータに挿入された機能拡張ボードやコンピュータに接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０２９８】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０２９９】
１００  携帯端末
１０１  クライアント端末
２００  管理サーバ
１０３  アクセスポイント
２９    プロセッサ
２４    表示部
３０１  ＣＰＵ
３０２  ＲＯＭ
３０３  ＲＡＭ
【図１】
2020123108.tif 000003
【図２】
2020123108.tif 000004
【図３】
2020123108.tif 000005
【図４】
2020123108.tif 000006
【図５】
2020123108.tif 000007
【図６】
2020123108.tif 000008
【図７】
2020123108.tif 000009
【図８】
2020123108.tif 000010
【図９】
2020123108.tif 000011
【図１０】
2020123108.tif 000012
【図１１】
2020123108.tif 000013
【図１２】
2020123108.tif 000014
【図１３】
2020123108.tif 000015
【図１４】
2020123108.tif 000016
【図１５】
2020123108.tif 000017
【図１６】
2020123108.tif 000018
【図１７】
2020123108.tif 000019
【手続補正書】
【提出日】令和2年5月22日(2020.5.22)
【手続補正１】
【補正対象書類名】特許請求の範囲
【補正対象項目名】全文
【補正方法】変更
【補正の内容】
【特許請求の範囲】
【請求項１】
正規の物品に関する識別情報と、前記識別情報に対応する生産情報及び経由地情報の少なくとも１つとを記憶する記憶部と通信可能なサーバ装置であって、
物品に関する識別情報を端末装置から取得する第一の取得手段と、
前記取得された識別情報と、前記記憶部に記憶された識別情報とに基づいて、前記物品が正規の物品であるかを判定する判定手段と、
前記判定により正規の物品であると判定された前記物品に関する前記識別情報に対応する前記生産情報及び前記経由地情報の少なくとも１つを、前記記憶部から取得する第二の取得手段と、
前記判定により出力された、前記物品が正規の物品であることに関する判定結果と、前記取得された生産情報及び前記取得された経由地情報の少なくとも１つとを、前記端末装置に送信する送信手段と、
を備えることを特徴とするサーバ装置。
【請求項２】
前記記憶部は、前記物品にかかる正規ルートを記憶し、
前記送信手段は、前記取得された生産情報及び前記取得された経由地情報に基づいた流通ルートと、前記記憶部に記憶された正規ルートとが異なる場合に、前記物品が前記正規ルートとは異なるルートで流通していることに関する情報を送信することを特徴とする、請求項１に記載のサーバ装置。
【請求項３】
前記送信手段は、前記取得された生産情報及び前記取得された経由地情報に過不足がある場合に、当該過不足があることに関する情報を送信することを特徴とする、請求項１又は２に記載のサーバ装置。
【請求項４】
前記物品に関する識別情報は、ＲＦＩＤ情報を読取可能な媒体、又は、二次元コード情報を読取可能な媒体から取得されることを特徴とする、請求項１乃至３のいずれか１項に記載のサーバ装置。
【請求項５】
前記生産情報は、生産登録を行う端末装置により登録された情報であり、
前記経由地情報は、経由地登録を行う端末装置により登録された情報であることを特徴とする、請求項１乃至４のいずれか１項に記載のサーバ装置。
【請求項６】
正規の物品に関する識別情報と、前記識別情報に対応する生産情報及び経由地情報の少なくとも１つとを記憶する記憶部と通信可能な情報処理システムであって、
物品に関する識別情報を端末装置から取得する第一の取得手段と、
前記取得された識別情報と、前記記憶部に記憶された識別情報とに基づいて、前記物品が正規の物品であるかを判定する判定手段と、
前記判定により正規の物品であると判定された前記物品に関する前記識別情報に対応する前記生産情報及び前記経由地情報の少なくとも１つを、前記記憶部から取得する第二の取得手段と、
前記判定により出力された、前記物品が正規の物品であることに関する判定結果と、前記取得された生産情報及び前記取得された経由地情報の少なくとも１つとを、前記端末装置に送信する送信手段と、
を備えることを特徴とする情報処理システム。
【請求項７】
正規の物品に関する識別情報と、前記識別情報に対応する生産情報及び経由地情報の少なくとも１つとを記憶する記憶部と通信可能な情報処理システムの制御方法であって、
物品に関する識別情報を端末装置から取得する第一の取得ステップと、
前記取得された識別情報と、前記記憶部に記憶された識別情報とに基づいて、前記物品が正規の物品であるかを判定する判定ステップと、
前記判定により正規の物品であると判定された前記物品に関する前記識別情報に対応する前記生産情報及び前記経由地情報の少なくとも１つを、前記記憶部から取得する第二の取得ステップと、
前記判定により出力された、前記物品が正規の物品であることに関する判定結果と、前記取得された生産情報及び前記取得された経由地情報の少なくとも１つとを、前記端末装置に送信する送信ステップと、
を含むことを特徴とする情報処理システムの制御方法。
【請求項８】
正規の物品に関する識別情報と、前記識別情報に対応する生産情報及び経由地情報の少なくとも１つとを記憶する記憶部と通信可能なサーバ装置の制御方法であって、
物品に関する識別情報を端末装置から取得する第一の取得ステップと、
前記取得された識別情報と、前記記憶部に記憶された識別情報とに基づいて、前記物品が正規の物品であるかを判定する判定ステップと、
前記判定により正規の物品であると判定された前記物品に関する前記識別情報に対応する前記生産情報及び前記経由地情報の少なくとも１つを、前記記憶部から取得する第二の取得ステップと、
前記判定により出力された、前記物品が正規の物品であることに関する判定結果と、前記取得された生産情報及び前記取得された経由地情報の少なくとも１つとを、前記端末装置に送信する送信ステップと、
を含むことを特徴とするサーバ装置の制御方法。
【請求項９】
コンピュータを、請求項１乃至５のいずれか１項に記載のサーバ装置として機能させるためのプログラム。
【手続補正３】
【補正対象書類名】明細書
【補正対象項目名】０００６
【補正方法】変更
【補正の内容】
【０００６】
そこで、本発明は、物品の生産情報及び経由地情報の少なくとも１つを判定結果と共に端末装置で確認できるようにすることを目的とする。
【手続補正４】
【補正対象書類名】明細書
【補正対象項目名】０００７
【補正方法】変更
【補正の内容】
【０００７】
本発明の目的を達成するために、サーバ装置は以下の構成を有する。すなわち、正規の物品に関する識別情報と、前記識別情報に対応する生産情報及び経由地情報の少なくとも１つとを記憶する記憶部と通信可能なサーバ装置であって、物品に関する識別情報を端末装置から取得する第一の取得手段と、前記取得された識別情報と、前記記憶部に記憶された識別情報とに基づいて、前記物品が正規の物品であるかを判定する判定手段と、前記判定により正規の物品であると判定された前記物品に関する前記識別情報に対応する前記生産情報及び前記経由地情報の少なくとも１つを、前記記憶部から取得する第二の取得手段と、前記判定により出力された、前記物品が正規の物品であることに関する判定結果と、前記取得された生産情報及び前記取得された経由地情報の少なくとも１つとを、前記端末装置に送信する送信手段と、を備えることを特徴とする。
【手続補正５】
【補正対象書類名】明細書
【補正対象項目名】０００８
【補正方法】変更
【補正の内容】
【０００８】
本発明によれば、物品の生産情報及び経由地情報の少なくとも１つを判定結果と共に端末装置で確認できるようにすることができる。